(57)【要約】【課題】既設のガラリのルーバーが奥まった位置にあっても、適正且つ確実に取り付けることができ、フィルターの交換を容易且つ迅速に行うことのできるガラリ用のフィルター取付具を提供する。【解決手段】  ガラリのルーバーに取り付けられる取付ベースと、シート状のフィルターを押さえるように取付ベースに取り付け可能に構成されたフィルター押体とを備え、取付ベースは、筒状部の一端面に沿って配置されるフレームと、該フレームに連結された一つ以上の係止部であって、フレームに対して交差方向に延出し、羽根板間に挿入可能に形成された係止部と、筒状部の一端面とルーバーとの間にある筒状部の内周面を押圧可能に設けられた押圧体であって、フレームに支持された押圧体と、互いに間隔をあけて配置された一対の押体係止部とを備え、フィルター押体は、押体係止部と対応するように配置されて押体係止部に係止可能な一対の被係止部を備えている。【選択図】図１
2015010777.tif 000002
【特許請求の範囲】
【請求項１】
建物の壁に形成された貫通穴に嵌入される筒状部と、筒状部内に配置された複数の羽根板であって、筒状部の一端面よりも他端側に配置された複数の羽根板を有するルーバーとを備えたガラリに対し、通気性の有るシート状のフィルターをルーバーの前面側に取り付けるためのガラリ用のフィルター取付具であって、ルーバーの前面側に取り付けられる取付ベースと、取付ベース上に配置されたシート状のフィルターを押さえるように取付ベースに取り付け可能に構成されたフィルター押体とを備え、取付ベースは、筒状部の一端面に沿って配置されるフレームと、該フレームに連結された一つ以上の係止部であって、フレームに対して交差方向に延出し、羽根板間に挿入可能に形成された一つ以上の係止部と、筒状部の一端面とルーバーとの間にある筒状部の内周面を押圧可能に設けられた押圧体であって、フレームに直接的又は間接的に支持された押圧体と、フレームに連結された一対の押体係止部であって、互いに間隔をあけて配置された少なくとも一対の押体係止部とを備え、フィルター押体は、押体係止部と対応するように配置されて前記押体係止部に係止可能な少なくとも一対の被係止部を備えていることを特徴とするガラリ用のフィルター取付具。
【請求項２】
押圧体は、筒状部の内周面を押圧する押圧位置と、筒状部の内周面から離間した押圧解除位置とに位置変更可能に設けられている請求項１に記載のガラリ用のフィルター取付具。
【請求項３】
取付ベースは、押圧体を支持する支持体であって、フレームに連結された支持体を備え、押圧体は、支持体に螺合されたネジ部材である請求項２に記載のガラリ用のフィルター取付具。
【発明の詳細な説明】
【技術分野】
【０００１】
本発明は、建物の壁に取り付けられた既設のガラリに対してフィルターを取り付けるためのフィルター取付具に関する。
【背景技術】
【０００２】
従来から、建物内の換気を行うべく、建物の壁に対して内外に貫通した貫通穴が形成される場合がある。この場合、通常、壁に形成された貫通穴に対してガラリが取り付けられる。
【０００３】
ガラリは、壁の貫通穴に嵌入される筒状部と、該筒状部内に配置されたルーバーとを備える。ルーバーは、複数の羽根板を備える。複数の羽根板は、並列状態、或いは、格子状態に配置される。そして、複数の羽根板のそれぞれは、筒状部の内周面に直接的又は間接的に支持されている。すなわち、複数の羽根板のそれぞれは、筒状部の内周面、又は、筒状部の内周全周から内側に向けて延出した環状の枠部に連結されている。
【０００４】
これにより、ガラリは、ルーバー（複数の羽根板）によって建物内を目隠ししつつ、ルーバー（羽根板間）に形成される隙間で空気の流通を確保できるようになっている。なお、一般的なガラリは、筒状部の一端部の外周面から外方に延出した環状のフランジを備えている。これにより、一般的なガラリは、筒状部を壁の貫通穴に嵌入した状態で、壁（貫通穴を画定する周面）と、筒状部の外周面との間に形成される隙間をフランジによって覆い隠せるようになっている。
【０００５】
ところで、上記構成のガラリは、複数の羽根板の間隔が害虫や埃の通過を許容してしまう広い間隔に設定されているため、害虫や埃等が室内に進入することがあるとして、通気性を確保しつつ害虫や埃等の通過を阻止できる不織布等から構成されるフィルターを既設のガラリに対して取り付けるためのフィルター取付具が提供されている。
【０００６】
かかるフィルター取付具には、種々タイプのものがあり、その一つとして、既設のガラリ（ルーバー）の前面側に取り付け可能に構成された取付ベースと、取付ベース上に配置されたシート状のフィルターを押さえるように取付ベースに取り付け可能に構成されたフィルター押体とを備えたものがある（例えば、特許文献１参照）。
【０００７】
この種のフィルター取付具において、取付ベースは、筒状部の一端面に沿って配置されるフレームと、フレームに連結された一対の係止部であって、互いに間隔をあけて配置され、それぞれがルーバーの前面側から挿入して枠又は羽根板の内面に係止可能な一対の係止部と、フレームに連結された一対の押体係止部であって、互いに間隔をあけて配置された少なくとも一対の押体係止部とを備え、フィルター押体は、押体係止部と対応するように配置されて前記押体係止部に係止可能な少なくとも一対の被係止部を備える。
【０００８】
上記構成のフィルター取付具によれば、取付ベースの係止部をルーバーの前面側から挿入して枠部又は羽根板の内面に係止させることで、取付ベースをガラリに対して固定することができる。そして、取付ベース上にシート状のフィルターを配置し、そのフィルター上にフィルター押体を配置した上で、該フィルター押体の被係止部のそれぞれを取付ベースの押体係止部のそれぞれに係止させることで、フィルター押体がフィルターを押さえた状態で取付ベースに固定される。
【０００９】
従って、上記構成のフィルター取付具は、既設のガラリに対して簡単に取り付けることができる上に、フィルター押体を着脱することでフィルターの交換も容易に行うことができる。
【先行技術文献】
【特許文献】
【００１０】
【特許文献１】特開２０１１−１７４７９号公報
【発明の概要】
【発明が解決しようとする課題】
【００１１】
ところで、ガラリには、種々タイプがあり、筒状部の一端面に沿ってルーバーが配置されたものや、筒状部の一端面よりも奥まった位置（一端面よりも他端側にある位置）にルーバーが配置されたものがある。
【００１２】
そのため、上記構成のフィルター取付具では、全てのガラリに対して安定した状態で取り付けることができない場合がある。
【００１３】
より具体的に説明する。筒状部の一端面に沿ってルーバーが配置されたガラリにフィルター取付具を取り付ける場合、筒状部の一端に沿って配置される取付ベースのフレームとルーバーとが近接する結果、フレームからルーバー側に延出する係止部の長さが短くても、係止部を枠部又は羽根板の内面に係止できる。このように、係止部の長さが短いと、係止部の曲げ剛性（撓み剛性）が高くなるため、取付ベースをガラリに対して強固に固定できる。
【００１４】
これに対し、筒状部の一端面よりも奥まった位置にルーバーが配置されたガラリにフィルター取付具を取り付ける場合、筒状部の一端面に沿って配置される取付ベースのフレームとルーバーとが離間する結果、係止部を枠部又は羽根板の内面に係止させるべく、フレームからルーバー側に延出する係止部の長さが、筒状部の一端面に沿ってルーバーが配置されたガラリに対して取り付けられるものよりも長くされる。このように、係止部の長さが長いと、係止部の曲げ剛性（撓み剛性）が低くなるため、取付ベースをガラリに対して取り付けたときに、係止部が取付ベース全体を安定して支持できない場合がある。
【００１５】
従って、上記構成のフィルター取付具は、筒状部の一端面よりも奥まった位置にルーバーが配置されたガラリに対して取付ベースを安定して固定できない場合があり、結果として全体を既設のガラリに対して安定して取り付けることができないことがあった。
【００１６】
そこで、本発明は、斯かる実情に鑑み、既設のガラリのルーバーが奥まった位置にあっても、適正且つ確実に取り付けることができ、フィルターの交換を容易且つ迅速に行うことのできるガラリ用のフィルター取付具を提供することを課題とする。
【課題を解決するための手段】
【００１７】
本発明に係るガラリ用のフィルター取付具は、建物の壁に形成された貫通穴に嵌入される筒状部と、筒状部内に配置された複数の羽根板であって、筒状部の一端面よりも他端側に配置された複数の羽根板を有するルーバーとを備えたガラリに対し、通気性の有るシート状のフィルターをルーバーの前面側に取り付けるためのガラリ用のフィルター取付具であって、ルーバーの前面側に取り付けられる取付ベースと、取付ベース上に配置されたシート状のフィルターを押さえるように取付ベースに取り付け可能に構成されたフィルター押体とを備え、取付ベースは、筒状部の一端面に沿って配置されるフレームと、該フレームに連結された一つ以上の係止部であって、フレームに対して交差方向に延出し、羽根板間に挿入可能に形成された一つ以上の係止部と、筒状部の一端面とルーバーとの間にある筒状部の内周面を押圧可能に設けられた押圧体であって、フレームに直接的又は間接的に支持された押圧体と、フレームに連結された一対の押体係止部であって、互いに間隔をあけて配置された少なくとも一対の押体係止部とを備え、フィルター押体は、押体係止部と対応するように配置されて前記押体係止部に係止可能な少なくとも一対の被係止部を備えていることを特徴とする。
【００１８】
上記構成のフィルター取付具によれば、取付ベースのフレームを筒状部の一端面に沿って配置すると、一つ以上の係止部がルーバーの羽根板間に挿入される。この状態で、押圧体が筒状部の内周面を押圧すると、フレームと該フレームに連結された係止部が押圧体による押圧方向と反対向きに押される。これにより、係止部が羽根板に押し付けられ、結果的に押圧体と係止部とがガラリ内で突っ張った状態になり、取付ベースがガラリに対して強固に固定される。
【００１９】
そして、取付ベース上にシート状のフィルターが配置され、そのフィルター上にフィルター押体が配置された上で、該フィルター押体の被係止部のそれぞれが取付ベースの押体係止部のそれぞれに係止される。これにより、フィルター押体がフィルターを押さえた状態で取付ベースに固定される。
【００２０】
本発明の一態様として、押圧体は、筒状部の内周面を押圧する押圧位置と、筒状部の内周面から離間した押圧解除位置とに位置変更可能に設けられていることが好ましい。このようにすれば、押圧体が押圧位置に位置したときに、押圧体と係止部とがガラリ内で突っ張り合い、取付ベースがガラリに対して強固に固定される一方、押圧体が押圧解除位置に位置したときに、ガラリ内での押圧体と係止部とが突っ張り合うことがなく、取付ベースをガラリに対して着脱可能となる。従って、既設のガラリに対する取付ベースの着脱が容易になる。
【００２１】
この場合、取付ベースは、押圧体を支持する支持体であって、フレームに連結された支持体を備え、押圧体は、支持体に螺合されたネジ部材であってもよい。このようにすれば、押圧体（ネジ部材）を正逆転させるだけで、押圧体（ネジ部材）が押圧位置と押圧解除位置とに位置変更する。従って、煩雑な作業を伴うことなく、既設のガラリに対する取付ベースの着脱が可能となる。
【発明の効果】
【００２２】
以上のように、本発明のガラリ用のフィルター取付具によれば、既設のガラリのルーバーが奥まった位置にあっても、適正且つ確実に取り付けることができ、フィルターの交換を容易且つ迅速に行うことができるという優れた効果を奏し得る。
【図面の簡単な説明】
【００２３】
【図１】本発明の一実施形態に係るガラリ用のフィルター取付具の分解斜視図であって、該フィルター取付具の取り付けの対象となるガラリを含んだフィルター取付具の分解斜視図を示す。
【図２】同実施形態に係るガラリ用のフィルター取付具の取付ベースの説明図であって、（ａ）は、取付ベースの正面図を示し、（ｂ）は、（ａ）のＩ−Ｉ断面図を示す。
【図３】同実施形態に係るガラリ用のフィルター取付具の取付手順を説明するための説明図であって、既設のガラリに取付ベースを取り付けた状態の斜視図を示す。
【図４】同実施形態に係るガラリ用のフィルター取付具の取付手順を説明するための説明図であって、既設のガラリに取り付けた取付ベースにフィルターを重ねた状態の斜視図を示す。
【図５】同実施形態に係るガラリ用のフィルター取付具の取付手順を説明するための説明図であって、既設のガラリに取り付けた取付ベースに対して重ねたフィルターをフィルター押体で押さえた状態の斜視図を示す。
【図６】同実施形態に係るガラリ用のフィルター取付具の断面図であって、既設のガラリに取り付けた取付ベースに対して重ねたフィルターをフィルター押体で押さえた状態の断面図を示す。
【発明を実施するための形態】
【００２４】
以下、本発明の一実施形態に係るガラリ用のフィルター取付具（以下、単にフィルター取付具という）について、添付図面を参照しつつ説明する。
【００２５】
フィルター取付具の説明に先立ち、該フィルター取付具を用いてフィルターを取り付けるガラリについて概略説明する。かかるガラリは、図１に示す如く、内外を連通させるように建物の壁を貫通した貫通穴（図示しない）に嵌入される筒状部５０と、筒状部５０内に配置されたルーバー５１とを備える。また、ガラリ５は、筒状部５０の一端部の外周から外方に延出したフランジ５２を備える。
【００２６】
筒状部５０は、貫通穴の形状に応じて角筒状又は円筒状に形成される。本実施形態において、筒状部５０は、円筒状（略真円筒状）に形成されている。なお、この種のガラリは、一般的に、筒状部の外周面に、貫通穴の内周面に圧接可能な抜止部材（図示しない）が取り付けられている。
【００２７】
ルーバー５１は、筒状部５０内に配置された複数の羽根板５１０…を備えている。複数の羽根板５１０…のそれぞれは、筒状部５０の径方向に相当する第一方向に間隔をあけて配置されている。各羽根板５１０…は、第一方向と直交する第二方向であって、筒状部５０の径方向に相当する第二方向に延びている。そして、各羽根板５１０…は、筒状部５０の内周面に連結されている。すなわち、各羽根板５１０…の第二方向における両端は、筒状部５０に支持されている。
【００２８】
各羽根板５１０…は、第一方向及び第二方向と直交する第三方向（筒状部５０の中心方向に相当する第三方向）における一端の配置と、その反対側の他端の配置とが、第一方向で異なるように配置されている。すなわち、各羽根板５１０…は、筒状部５０の一端面側に向けて先下りした前傾姿勢をなしている。
【００２９】
本実施形態において、ルーバー５１は、筒状部５０の一端面よりも他端側に配置されている。すなわち、ルーバー５１（複数の羽根板５１０…）は、筒状部５０の一端面よりも奥まった位置に配置されている。
【００３０】
フランジ５２は、板状に形成され、第一面と反対側の第二面とを有し、第一面が筒状部５０の一端面と面一になるように設けられている。
【００３１】
上記構成のガラリ５は、フランジ５２が建物の壁面ＷＳに沿った状態になるように、筒状部５０が建物の壁に形成された貫通穴に嵌入される（図６参照）。これにより、ガラリ５は、建物の壁に固定され、ルーバー５１の羽根板５１０…によって貫通穴を目隠しするとともに、フランジ５２によって壁（貫通穴を画定する周面）と筒状部５０の外周面との間に形成される隙間を覆い隠すようになっている。
【００３２】
フィルター取付具１は、ルーバー５１を備えたガラリ５に対して通気性のあるシート状のフィルター（例えば、不織布）Ｆを取り付けるためのもので、ルーバー５１の前面側に取り付け可能に構成された取付ベース１０と、取付ベース１０上に配置されたシート状のフィルターＦを押さえるように取付ベース１０に取り付け可能に構成されたフィルター押体２０とを備える。
【００３３】
取付ベース１０は、図１及び図２（ａ）に示す如く、筒状部５０の一端面に沿って配置されるフレーム１００と、該フレーム１００に連結された係止部１０１…であって、フレーム１００に対して交差方向に延出し、羽根板５１０，５１０間に挿入可能に形成された係止部１０１…と、筒状部５０の一端面とルーバー５１との間にある筒状部５０の内周面を押圧可能に設けられた押圧体１０２であって、フレーム１００に支持された押圧体１０２と、フレーム１００に連結された一対の押体係止部１０３，１０３であって、互いに間隔をあけて配置された少なくとも一対の押体係止部１０３，１０３とを備える。
【００３４】
フレーム１００は、ガラリ５の筒状部５０の一端面（前面）に重ね合わされた状態で、筒状部５０内への通気を許容可能に形成される。より具体的に説明する。本実施形態に係るフレーム１００は、間隔で配置された一対のメインフレーム１０４，１０４と、一対のメインフレーム１０４，１０４を連結する一対のサブフレーム１０５，１０５とを備える。
【００３５】
一対のメインフレーム１０４，１０４は、筒状部５０の内径よりも狭い間隔で配置されている。一対のメインフレーム１０４，１０４のそれぞれは、剛性を有する線材で構成され、筒状部５０の外径以上の長さに設定されている。本実施形態において、ガラリ５が前面にフランジ５２を備えているため、一対のメインフレーム１０４，１０４のそれぞれは、フランジ５２に重ね合わされた状態で両端部がフランジ５２の外周からはみ出る長さに設定されている。
【００３６】
本実施形態において、一対のメインフレーム１０４，１４のそれぞれの両端部は、中央側（フランジ５２と重ね合わされる領域）に対して傾斜するように曲げ加工されている。すなわち、一対のメインフレーム１０４，１０４は、フランジ５２に重ね合わせた状態で両端部がガラリ５（フランジ５２）側に延出するように形状設定されている。これにより、フレーム１００（一対のメインフレーム１０４，１０４）は、フランジ５２に重ね合わせた状態で両端部がフランジ５２の外周と干渉することで、フランジ５２に対して位置決めされるようになっている。
【００３７】
一対のサブフレーム１０５，１０５は、メインフレーム１０４の長手方向に間隔をあけて配置されている。一対のサブフレーム１０５，１０５のそれぞれは、剛性を有する線材で構成され、一対のメインフレーム１０４，１０４の間隔以上の長さに設定されている。本実施形態において、一対のサブフレーム１０５，１０５のそれぞれは、メインフレーム１０４，１０４の間隔と同等の長さに設定されている。これに伴い、各サブフレーム１０５，１０５の一端部は、一方のメインフレーム１０４に連結され、各サブフレーム１０５，１０５の他端部は、他方のメインフレーム１０４に連結されている。これにより、一対のメインフレーム１０４，１０４及び一対のサブフレーム１０５，１０５は、一体となってフレーム１００を構成している。
【００３８】
係止部１０１…は、剛性を有する線材で構成されている。係止部１０１…の一端は、フレーム１００に連結されている。係止部１０１…の長手方向の長さは、第三方向における筒状部５０の一端面（フランジ５２の第一面）からルーバー５１までの距離よりも長い長さに設定されている。すなわち、係止部１０１は、フレーム１００をフランジ５２の第一面上に重ね合わせた状態で、ルーバー５１の羽根板５１０，５１０間に挿入でき、且つ先端側（他端側）が羽根板５１０に係止可能な長さに設定されている。
【００３９】
本実施形態において、係止部１０１は、真っ直ぐ延びるフレーム１００（メインフレーム１０４）に対して所定の角度で傾斜している。すなわち、係止部１０１は、フレーム１００に対してルーバー５１の羽根板５１０の前傾姿勢と対応する角度（フランジ５２の第一面又は第二面に対する羽根板５１０の角度と対応する角度）で傾斜している。
【００４０】
本実施形態において、係止部１０１は、四つ設けられており、そのうちの二つは、一方のサブフレーム１０５に連結され、残りの二つは、他方のサブフレーム１０５に連結されている。これにより、四つの係止部１０１のうちの二つの係止部１０１は、一方のサブフレーム１０５の配置と対応し、メインフレーム１０４の長手方向で同一レベルに配置され、残りの二つの係止部１０１は、他方のサブフレーム１０５の配置と対応し、メインフレーム１０４の長手方向で同一レベルに配置されている。
【００４１】
本実施形態において、二つの係止部１０１，１０１は、一方のサブフレーム１０５の両端に連結されている。これにより、二つの係止部１０１，１０１及び一方のサブフレーム１０５は、一体的になってコの字状を呈している。すなわち、二つの係止部１０１，１０１及び一方のサブフレーム１０５は、一本の線材をコの字状に曲げ加工することによって、一体的に形成されている。また、残りの二つの係止部１０１，１０１及び他方のサブフレーム１０５も同様である。
【００４２】
本実施形態に係る取付ベース１０は、押圧体１０２を支持する支持体１０６であって、フレーム１００に連結された支持体１０６を備える。
【００４３】
本実施形態に係る支持体１０６は、フレーム１００に対して係止部１０１の延出する側で、一対のメインフレーム１０４，１０４に跨るように配置されている。より具体的には、支持体１０６は、短冊板状に形成されている。支持体１０６の長手方向と直交する短手方向の長さは、第三方向におけるフランジ５２の第一面からルーバー５１までの距離よりも短い長さに設定されている。
【００４４】
そして、支持体１０６は、板厚方向がメインフレーム１０４の長手方向と一致するように配置された上で、長手方向の両端が一対のメインフレーム１０４，１０４に連結されている。支持体１０６は、メインフレーム１０４の長手方向において、係止部１０１と異なる位置であって、係止部１０１よりもメインフレーム１０４の端部側に配置されている。
【００４５】
本実施形態において、係止部１０１は、一端側よりも他端側がフレーム１００（メインフレーム１０４）の一端側に位置するように傾斜している。これに伴い、支持体１０６は、係止部１０１よりもメインフレーム１０４の他端側に配置されている。
【００４６】
メインフレーム１０４の長手方向における係止部１０１（本実施形態においては、メインフレーム１０４の最も一端側にある係止部１０１）と支持体１０６との間隔は、筒状部５０の内径よりも狭い間隔に設定される。すなわち、フレーム１００をフランジ５２に沿って配置した状態で、各係止部１０１及び支持体１０６が、筒状部５０内に配置され得るように、係止部１０１及び支持体１０６が配置されている。
【００４７】
本実施形態において、押圧体１０２は、ネジ部材で構成される。これに伴い、支持体１０６には、押圧体１０２を螺合させるネジ穴（採番しない）が設けられている。これにより、本実施形態に係る取付ベース１０は、押圧体１０２を軸心周りで回転させることで、押圧体１０２を往復移動させ得るようになっている。
【００４８】
押圧体１０２は、筒状部５０が略真円筒状に形成されることを前提に、筒状部５０の中心方向に対して直交方向又は略直交方向に移動可能に設けられている。本実施形態において、上述の如く、押圧体１０２は、ネジ部材で構成されているため、ネジ中心（回転中心）が筒状部５０の中心方向に対して直交方向又は略直交方向に延びるように、支持体１０６に螺合されている。押圧体１０２は、フレーム１００をフランジ５２の第一面に重ね合わせた状態で、フランジ５２の第一面（筒状部５０の一端面）とルーバー５１との間にある筒状部５０の内周面と対向する位置に配置されている。すなわち、押圧体１０２は、フレーム１００がフランジ５２の第一面に重ね合わされた状態において、筒状部５０の内周面（フランジ５２の第一面（筒状部５０の一端面）とルーバー５１との間にある筒状部５０の内周面）を押圧する押圧位置と、筒状部５０の内周面から離間した押圧解除位置とに位置変更可能に設けられている。
【００４９】
一対の押体係止部１０３，１０３は、図１、図２（ａ）及び図２（ｂ）に示す如く、メインフレーム１０４の延びる方向と直交する方向で係止部１０１とは反対側にメインフレーム１０４，１０４から延びる一対の立上部１０３ａ，１０３ａと、該立上部１０３ａ及びメインフレーム１０４のそれぞれの延びる方向と直交する方向に延びる係止棒状部１０３ｂであって、一対の立上部１０３ａ，１０３ａを連結する係止棒状部１０３ｂとを備えている。
【００５０】
立上部１０３ａの一端は、メインフレーム１０４に連結され、係止棒状部１０３ｂの両端は、各立上部１０３ａの他端に接続されている。本実施形態において、一方の押体係止部１０３における一対の立上部１０３ａ，１０３ａのそれぞれの一端は、対応するメインフレーム１０４，１０４の一端に連結され、他方の押体係止部１０３における一対の立上部１０３ａ，１０３ａのそれぞれの一端は、対応するメインフレーム１０４，１０４の他端に連結されている。
【００５１】
これにより、本実施形態に係る取付ベース１０は、一対のメインフレーム１０４，１０４及び一対の押体係止部１０３，１０３が連続且つ一体になって枠状をなしている。なお、本実施形態に係る取付ベース１０は、一本の線材を曲げ加工した上で、該線材の両端を連結することで、一対のメインフレーム１０４，１０４及び一対の押体係止部１０３，１０３が一体的に形成されている。
【００５２】
図１に戻り、フィルター押体２０は、互いに間隔をあけて配置され、押体係止部１０３，１０３に係止可能な少なくとも一対の被係止部２００，２００を備えている。
【００５３】
より具体的に説明すると、本実施形態に係るフィルター押体２０は、径方向に弾性変形可能な環状の押体本体２０１と、押体本体２０１に連結された一対の被係止部２００，２００と、押体本体２０１に連結された一対の把持部２０２，２０２とを備える。
【００５４】
押体本体２０１は、線材を環状にしたもので、フィルターＦよりも小さな外径に設定される。
【００５５】
一対の被係止部２００，２００のそれぞれは、押体本体２０１に連結されて該押体本体２０１から外方に延出した一対の外側延出部２０３，２０３であって、一対の立上部１０３ａ，１０３ａの間隔よりも狭い間隔で配置された一対の外側延出部２０３，２０３と、一対の外側延出部２０３，２０３の先端同士を連結した外側連結部２０４とを備える。
【００５６】
一対の被係止部２００，２００のそれぞれは、線材をコの字状に曲げ加工したもので、一対の外側延出部２０３，２０３及び外側連結部２０４が一体的に形成されている。
【００５７】
一対の被係止部２００，２００は、フィルター押体２０の中心を基準に対称的に配置されている。これにより、一対の被係止部２００，２００は、フィルター押体２０から相反する方向に延出している。
【００５８】
一対の把持部２０２，２０２は、押体本体２０１に連結されて該押体本体２０１から内方に延出した一対の内側延出部２０５，２０５であって、所定の間隔で配置された一対の内側延出部２０５，２０５と、一対の内側延出部２０５，２０５の先端同士を連結した内側連結部２０６とを備える。
【００５９】
一対の把持部２０２，２０２のそれぞれは、線材をコの字状に曲げ加工したもので、一対の内側延出部２０５，２０５及び内側連結部２０６が一体的に形成されている。
【００６０】
一対の把持部２０２，２０２のそれぞれは、一対の被係止部２００，２００のそれぞれと対応するように配置されている。すなわち、一対の把持部２０２，２０２は、内側延出部２０５が被係止部２００の外側延出部２０３と同方向に延びるように、フィルター押体２０の中心を基準に対称的に配置されている。これにより、一対の把持部２０２，２０２は、被係止部２００，２００と対応した位置でフィルター押体２０から互いに向き合う方向（接近する方向）に延出している。
【００６１】
本実施形態において、一方の被係止部２００及び一方の把持部２０２は、一体的に形成され、他方の被係止部２００及び他方の把持部２０２は、一体的に形成されている。
【００６２】
より具体的に説明する。一方の被係止部２００及び一方の把持部２０２は、一対の内側延出部２０５，２０５の間隔と一対の外側延出部２０３，２０３の間隔とを一致させており、内側延出部２０５と外側延出部２０３とが連続して形成されている。
【００６３】
これに伴い、本実施形態において、線材を矩形状に曲げ加工することで、矩形状の一端側で一方の被係止部２００が構成される一方、該矩形状の他端側で該一方の被係止部２００と対応する一方の把持部２０２が構成されている。また、他方の被係止部２００及び他方の把持部２０２も同様に形成されている。
【００６４】
フィルター取付具１に採用されるフィルターＦは、通気性があればよく、一般的には不織布等で構成される。フィルターＦは、ルーバー５１の前面を覆えるようにサイズや形状が設定される。
【００６５】
本実施形態において、フランジ５２が円環状に形成されているため、これに対応するように、押体本体２０１は、円環状に形成されている。これに伴い、フィルターＦは、フランジ５２及び押体本体２０１の外径よりも大きな外径に設定された円板状に形成されている。そして、上述の如く、各押体係止部１０３、１０３に立上部１０３ａが形成されているため、フィルターＦには、立上部１０３ａと対応する位置に、立上部１０３ａを躱すための切り込みＣが設けられている。
【００６６】
本実施形態に係るフィルター取付具１は、以上の構成からなり、次に、既設のガラリ５に対する取り付け方について説明する。
【００６７】
まず、図３に示す如く、取付ベース１０のフレーム１００が、ガラリ５の筒状部５０の一端面（フランジ５２の第一面）に沿って配置される。このとき、各係止部１０１…がルーバー５１の羽根板５１０，５１０間に挿入される。本実施形態において、各係止部１０１…は、フレーム１００（メインフレーム１０４）に対して羽根板５１０の前傾姿勢と対応した角度で傾斜しているため、上述の如く、各係止部１０１…は、羽根板５１０，５１０間に挿入された状態で概ね羽根板５１０に沿った姿勢になる。また、支持体１０６に支持された押圧体１０２は、ガラリ５における筒状部５０の一端面（フランジ５２の第一面）とルーバー（複数の羽根板５１０…）との間に介在する。なお、取付ベース１０のフレーム１００を筒状部５０の一端面に沿わせるときは、押圧体１０２は、押圧解除位置に位置し、ガラリ５との干渉が回避されている。
【００６８】
そして、この状態で、押圧体１０２により、筒状部５０の内周面を押圧する。本実施形態においては、押圧体１０２がネジ部材で構成されているため、押圧体１０２を自信の軸線（中心）周りで回転させることで、押圧体１０２が前進して筒状部５０の内面に当接乃至押圧する。
【００６９】
これにより、取付ベース１０（フレーム１００と該フレーム１００に連結された係止部１０１…）が押圧体１０２による押圧方向と反対向きに押される。その結果、係止部１０１…が羽根板５１０に押し付けられ、押圧体１０２と係止部１０１とがガラリ５内で突っ張った状態になり、取付ベース１０がガラリ５に対して強固に固定される。本実施形態においては、係止部１０１は、フレーム１００に対して傾斜しているため、上述の如く、羽根板５１０に押し付けられた状態で、羽根板５１０に係止された状態になり、第三方向における取付ベース１０の移動がより確実に阻止される。
【００７０】
すなわち、羽根板５１０に対する係止部１０１の押し付け力（摩擦力）だけでも、第三方向における取付ベース１０の移動が阻止されるが、その押し付け力に加えて、係止部１０１が羽根板５１０に係止されることで、第三方向における取付ベース１０の移動がより確実に阻止される。
【００７１】
そして、図４に示す如く、取付ベース１０（フレーム１００）上にシート状のフィルターＦが配置される。このとき、フィルターＦは、各切り込みＣに対応する立上部１０３ａが嵌め込まれる。
【００７２】
そして、図５及び図６に示す如く、フィルターＦ上にフィルター押体２０が配置される。このとき、一対の把持部２０２，２０２同士を互いに接近させるように把持すると、押体本体２０１が径方向に弾性変形して円形状から楕円状になり、一対の被係止部２００，２００の間隔が状態より狭くなる。すなわち、一対の被係止部２００，２００（外側連結部２０４）の間隔が、一対の押体係止部１０３，１０３（係止棒状部１０３ｂ）の間隔よりも狭くなる。これにより、一対の押体係止部１０３，１０３（係止棒状部１０３ｂ）の間に、一対の被係止部２００，２００を配置できる。
【００７３】
そして、この状態から、一対の把持部２０２，２０２に対する把持を解除すると、押体本体２０１が自己の弾性によって円形状に復元する。これに伴い、一対の被係止部２００，２００の間隔が広がり、各被係止部２００は、対応する押体係止部１０３内に進入する。すなわち、被係止部２００は、立上部１０３ａと係止棒状部１０３ｂとによって包囲された領域に進入し、外側延出部２０３が係止棒状部１０３ｂに係止された状態になる。
【００７４】
この状態で、フィルター押体２０は、第三方向における移動が確実に制限されることになり、押体本体２０１が取付ベース１０のフレーム１００及びフランジ５２とともにフィルターＦを挟み込んだ状態になり、取り付けが完了する。なお、上記の手順の逆の手順をとることで、フィルターＦをフィルター取付具１から取り外すことや、フィルター取付具１全体をガラリ５から容易に取り外すことができる。
【００７５】
以上のように、本実施形態に係るフィルター取付具１は、建物の壁に形成された貫通穴に嵌入される筒状部５０と、筒状部５０内に配置された複数の羽根板５１０…であって、筒状部５０の一端面よりも他端側に配置された複数の羽根板５１０…を有するルーバー５１とを備えたガラリ５に対し、通気性の有るシート状のフィルターＦをルーバー５１の前面側に取り付けるためのものであり、ルーバー５１の前面側に取り付けられる取付ベース１０と、取付ベース１０上に配置されたシート状のフィルターＦを押さえるように取付ベース１０に取り付け可能に構成されたフィルター押体２０とを備え、取付ベース１０は、筒状部５０の一端面に沿って配置されるフレーム１００と、該フレーム１００に連結された一つ以上の係止部１０１…であって、フレーム１００に対して交差方向に延出し、羽根板５１０，５１０間に挿入可能に形成された一つ以上の係止部１０１…と、筒状部５０の一端面とルーバー５１との間にある筒状部５０の内周面を押圧可能に設けられた押圧体１０２であって、フレーム１００に支持された押圧体１０２と、互いに間隔をあけて配置された少なくとも一対の押体係止部１０３，１０３とを備え、フィルター押体２０は、押体係止部１０３，１０３と対応するように配置されて該押体係止部１０３，１０３に係止可能な少なくとも一対の被係止部２００，２００を備えている。
【００７６】
そのため、上記構成のフィルター取付具１によれば、取付ベース１０のフレーム１００を筒状部５０の一端面に沿って配置すると、一つ以上の係止部１０１…がルーバー５１の羽根板５１０，５１０間に挿入される。この状態で、押圧体１０２が筒状部５０の内周面を押圧すると、フレーム１００と該フレーム１００に連結された係止部１０１が押圧体１０２による押圧方向と反対向きに押される。これにより、係止部１０１が羽根板５１０に押し付けられ、結果的に押圧体１０２と係止部１０１とがガラリ５内で突っ張った状態になり、取付ベース１０がガラリ５に対して強固に固定される。
【００７７】
そして、取付ベース１０上にシート状のフィルターＦが配置され、そのフィルターＦ上にフィルター押体２０が配置された上で、該フィルター押体２０の被係止部２００，２００のそれぞれが取付ベース１０の押体係止部のそれぞれに係止される。これにより、フィルター押体２０がフィルターＦを押さえた状態で取付ベース１０に固定される。
【００７８】
従って、本実施形態に係るフィルター取付具１は、既設のガラリ５のルーバー５１が奥まった位置にあっても、適正且つ確実に取り付けることができ、フィルターＦの交換を容易且つ迅速に行うことができるという優れた効果を奏し得る。
【００７９】
また、本実施形態において、押圧体１０２は、筒状部５０の内周面を押圧する押圧位置と、筒状部５０の内周面から離間した押圧解除位置とに位置変更可能に設けられているため、押圧体１０２が押圧位置に位置したときに、押圧体１０２と係止部１０１とがガラリ５内で突っ張り合い、取付ベース１０がガラリ５に対して強固に固定された状態になる一方、押圧体１０２が押圧解除位置に位置したときに、ガラリ５内での押圧体１０２と係止部１０１とが突っ張り合うことがなく、取付ベース１０をガラリ５に対して着脱できる状態になる。従って、取付ベース１０の着脱が容易になる。
【００８０】
特に、本実施形態において、取付ベース１０は、押圧体１０２を支持する支持体１０６であって、フレーム１００に連結された支持体１０６を備え、押圧体１０２は、支持体１０６に螺合されたネジ部材とされているため、押圧体（ネジ部材）１０２を正逆転させるだけで、押圧位置と押圧解除位置とに位置変更する。従って、煩雑な作業を伴うことなく、取付ベース１０の着脱が可能となる。
【００８１】
なお、本発明は、上記実施形態に限定されるものではなく、本発明の要旨を逸脱しない範囲で種々の変更を加え得ることは勿論のことである。
【００８２】
上記実施形態において、複数の羽根板５１０…が第一方向に間隔をあけて配置されたルーバー５１を備えたガラリ５を一例に説明したが、これに限定されるものではない。例えば、フィルター取付具１の取り付け対象となるガラリ５は、例えば、複数の羽根板５１０…が格子状に配置されたルーバー５１を備えたものであってもよい。
【００８３】
また、上記実施形態において、複数の羽根板５１０…が筒状部５０に直接連結されたガラリ５を一例に説明したが、これに限定されるものではない。例えば、筒状部５０の内周面から内方に延出した環状の枠部を備え、該枠部に対して複数の羽根板５１０…が連結されたものであってもよい。
【００８４】
また、ガラリ５は、フランジ５２を備えたものに限定されるものではなく、単に筒状部５０内にルーバー５１が配置されたものであってもよい。ようは、フィルター取付具１の対象となるガラリ５は、筒状部５０内にルーバー５１が配置され、該ルーバー５１が筒状部５０の一端面よりも他端側（奥まった位置）に配置されたものであればよい。
【００８５】
上記実施形態において、係止部１０１が四つ設けられたが、これに限定されるものではなく、係止部１０１は、一つ以上あればよい。
【００８６】
上記実施形態において、取付ベース１０のフレーム１００と押体係止部１０３とが一本の線材を曲げ加工することで、連続的（一体的）に形成されたが、これに限定されるものではなく、例えば、フレーム１００と押体係止部１０３とが別体で構成され、その別体で構成されたフレーム１００と押体係止部１０３とが連結されたものであってもよい。
【００８７】
また、上記実施形態において、係止部１０１とフレーム１００におけるサブフレーム１０５とが一本の線材を曲げ加工することで、連続的に形成されたが、これに限定されるものではなく、例えば、係止部１０１と、フレーム１００（サブフレーム１０５）とが別体で構成され、その別体で構成された係止部１０１とフレーム１００（サブフレーム１０５）とが連結されたものであってもよい。
【００８８】
上記実施形態において、フィルター押体２０の把持部２０２と被係止部２００とが一本の線材を曲げ加工することで、連続的（一体的）に形成されたが、これに限定されるものではなく、例えば、把持部２０２と、被係止部２００とが別体で構成され、その別体で構成された把持部２０２及び被係止部２００のそれぞれが、押体本体２０１に連結されたものであってもよい。
【００８９】
上記実施形態において、被係止部２００が押体本体２０１から外方に延出して設けられたが、これに限定されない。例えば、押体本体２０１の外径を大きくして、該押体本体２０１の対象位置となる二箇所を一対の被係止部２００，２００としてもよい。
【００９０】
上記実施形態において、係止部１０１が、フレーム１００（メインフレーム１０４）に対して傾斜して設けられたが、これに限定されない。例えば、係止部１０１は、フレーム１００（メインフレーム１０４）に対して直交方向に延出するように設けられてもよい。このようにしても、押圧体１０２による筒状部５０の内周面の押圧により、係止部１０１が羽根板５１０に押し付けられるため、筒状部５０内で係止部１０１と押圧体１０２とが突っ張り合った状態になるため、取付ベース１０をガラリ５に対して安定して取り付けることができる。なお、上記実施形態で説明したように、取付ベース１０の取り付けをより確実にするには、係止部１０１は、フレーム１００に対して傾斜して延出させることが好ましいことは言うまでもない。
【００９１】
上記実施形態において、押圧体１０２がネジ部材で構成されたが、これに限定されるものではく、押圧体１０２は、筒状部５０の内周面を押圧できるものであれば、種々変更可能である。例えば、押圧体１０２がバネ部材で構成され、このバネ部材の付勢力によって筒状部５０の内周面を押圧するようにしてもよい。
【００９２】
また、押圧位置と押圧解除位置とに位置変更可能な押圧体１０２は、ネジ部材に限定されるものではない。例えば、押圧体１０２は、支持体１０６に対して軸心方向で移動自在に挿通された軸体で構成され、その軸心方向の移動によって押圧位置と押圧解除位置とに位置変更可能に構成してもよい。なお、この場合において、押圧体１０２を少なくとも押圧位置で固定するための止めネジ等の構成が必要となるため、押圧体１０２を押圧位置と押圧解除位置とに位置変更可能にする場合には、上記実施形態のように押圧体１０２がネジ部材で構成されることが好ましい。
【００９３】
上記実施形態において、取付ベース１０のフレーム１００が、一対のメインフレーム１０４，１０４と一対のサブフレーム１０５，１０５とによって、矩形状に形成されたが、これに限定されない。例えば、取付ベース１０のフレーム１００は、ガラリ５のフランジ５２に沿って重ね合わせ可能となるように、円環状に形成されてもよい。但し、この場合、係止部１０１をフレーム１００に連結するための骨組みが必要となることは言うまでもない。また、フレーム１００は、ガラリ５の筒状部５０の開口を塞ぐことのないよう形成されることも言うまでもない。
【００９４】
上記実施形態において、フィルター押体２０の押体本体２０１が円環状に形成されたが、これに限定されるものではなく、押体本体２０１は、環状に形成されることを前提に、取り付けの対象となるフィルターＦの外形状に即して形成されればよい。
【００９５】
上記実施形態において、線材を加工することで、取付ベース１０及びフィルター押体２０のそれぞれが作成されたが、これに限定されるものではなく、取付ベース１０及びフィルター押体２０のそれぞれは、板材を抜き加工したり切断加工したりすることで作成されても勿論よい。
【００９６】
上記実施形態において、筒状部５０の内周が真円状に形成されることを前提に、押圧体１０２が筒状部５０の中心方向と直交する方向に移動可能に設けられたが、これに限定されない。例えば、押圧体１０２の押圧対象となる筒状部５０の内周面であって、一端面と連続する一端部の内周面がテーパー面とされる場合、押圧体１０２は、筒状部５０の中心方向と交差する方向に移動可能に設けられてもよい。すなわち、押圧体１０２は、筒状部５０の内周面であって、押圧の対象位置となる内周面に対して直交方向又は略直交方向に移動可能に設けられることが好ましい。
【符号の説明】
【００９７】
１…フィルター取付具、５…ガラリ、１０…取付ベース、２０…フィルター押体、５０…筒状部、５１…ルーバー、５２…フランジ、１００…フレーム、１０１…係止部、１０２…押圧体、１０３…押体係止部、１０３ａ…立上部、１０３ｂ…係止棒状部、１０４…メインフレーム、１０５…サブフレーム、１０６…支持体、２００…被係止部、２０１…押体本体、２０２…把持部、２０３…外側延出部、２０４…外側連結部、２０５…内側延出部、２０６…内側連結部、５１０…羽根板、Ｃ…切り込み、Ｆ…フィルター
【図１】
2015010777.tif 000003
【図２】
2015010777.tif 000004
【図３】
2015010777.tif 000005
【図４】
2015010777.tif 000006
【図５】
2015010777.tif 000007
【図６】
2015010777.tif 000008